(57)【要約】【課題】  点検での検査結果を蓄積し、将来の修理時期を予測し報知することで、無駄の少ない、部品交換や修理依頼を事前に計画立てることを可能ならしめる。【解決手段】  血糖測定装置のＱＣ点検を終えると、そのＱＣ点検を実施した日、点検の際に用いた試薬サンプルの既知の血糖値と、実測値を点検履歴情報として、情報処理装置が有する点検ＤＢ３０４ａに登録する。情報処理装置のＣＰＵ３０１は、過去の点検履歴情報から、各点検実施日と、それぞれの点検実施日における既知の血糖値に対する実測値の差分から、近似関数を導出し、その導出した近似関数による線分のグラフを表示すると共に、許容差分値を超える時期も合わせて表示する。【選択図】  図４
2013196629.tif 000002
【特許請求の範囲】
【請求項１】
患者の生体情報を測定する医療機器の点検履歴を管理する情報処理装置であって、
医療機器の点検実施日、並びに点検の際に用いた既知の生体情報値を持つサンプルに対して当該医療機器で実測して得た実測値とで構成される点検履歴情報を記憶する記憶手段と、
前記記憶手段を参照して、過去の各点検の実施日と前記既知の生体情報値に対するそれぞれの実測値との差分値で表わされる「実施日，差分値」のペアを、時間軸、差分値軸とする座標空間における点と見なし、当該点の集合に対して近似する線分を表わす近似関数を導出する導出手段と、
予め設定された許容差分値が定義された前記座標空間に対し、前記導出手段で導出した近似関数が示す線分をプロットした画像をグラフとして表示すると共に、前記近似関数が示す線分と前記許容差分値とが交差する点における前記時間軸上の位置を予測修理時期として表示する表示手段と
を有することを特徴とする情報処理装置。
【請求項２】
前記表示手段は、前記記憶手段に記憶された点検履歴情報が表わす各点もプロットすることを特徴とする請求項１に記載の情報処理装置。
【請求項３】
前記記憶手段は、医療機器を特定するデバイス情報に関連付けて、前記点検履歴情報を記憶することを特徴とする請求項１に記載の情報処理装置。
【請求項４】
前記医療機器は血糖測定装置とすることを特徴とする請求項１乃至３のいずれか１項に記載の情報処理装置。
【請求項５】
患者の生体情報を測定する医療機器の点検実施日、並びに点検の際に用いた既知の生体情報値を持つサンプルに対して当該医療機器で実測して得た実測値とで構成される点検履歴情報を記憶する記憶手段を有し、前記医療機器の点検履歴を管理する情報処理装置の制御方法であって、
前記記憶手段を参照して、過去の各点検の実施日と前記既知の情報生体値に対するそれぞれの実測値との差分値で表わされる「実施日，差分値」のペアを、時間軸、差分値軸とする座標空間における点と見なし、当該点の集合に対して近似する線分を表わす近似関数を導出する導出工程と、
予め設定された許容差分値が定義された前記座標空間に対し、前記導出工程で導出した近似関数が示す線分をプロットした画像をグラフとして表示すると共に、前記近似関数が示す線分と前記許容差分値とが交差する点における前記時間軸上の位置を予測修理時期として表示する表示工程と
を有することを特徴とする情報処理装置の制御方法。
【請求項６】
コンピュータに読み込ませ実行させることで、前記コンピュータに、請求項５に記載の各工程を実行させるためのプログラム。
【請求項７】
請求項６に記載のプログラムを格納したコンピュータ可読記憶媒体。
【発明の詳細な説明】
【技術分野】
【０００１】
本発明は血糖計等に代表される生体情報を測定する医療機器の点検管理技術に関するものである。
【背景技術】
【０００２】
生体情報を頻繁に測定する医療機器に血糖計，電子血圧計がある。血糖計の場合、測定方法にも幾つかの手法があるが、血液をサンプリングし、血液が浸透するフィルタに、光をあて、その反射光から血糖値を測定するものである（特許文献１）。
【０００３】
かかる血糖計の場合、測定結果の信憑性（又は信頼度）を担保するため、一般には、ＱＣ（Quality Control）点検を例えば所定期間（例えば１ケ月）を周期で行う。ＱＣ点検では、既知の血糖値を持つサンプルを実測し、その測定結果とサンプルとの差が許容範囲内にあるかどうかを検査し、許容範囲内にある場合には、その使用を継続する。そして、許容範囲を超える測定結果が得られた場合には、メーカに修理もしくは部品交換等の依頼（以下、部品交換を含め単に「修理」とする）することになる。
【０００４】
また、電子血圧計の場合、病院内などで医療従事者が手動加圧方式の血圧計を使用する場合に、血圧計本体部と送気球を片手で持って操作するので、使用している間に血圧計本体部に振動を与えたり、血圧計本体部と送気球を落下させてしまうと、調整済みの半固定抵抗器が動いて調整値にずれを発生させてしまうので定期的に圧力センサの調整が必要になる。
【先行技術文献】
【特許文献】
【０００５】
【特許文献１】特開２０００−４６８３４号公報
【発明の概要】
【発明が解決しようとする課題】
【０００６】
上記の通りであるので、ＱＣ点検にて許容範囲を超えるような値が測定されると修理の手続を行うことになる。当然、修理を行うためには、代替となる他の血糖計（代替血糖計）を確保されていることが必要になる。そのためには、十分な数の血糖計を予め用意しておくことであるが、これではコストの面で問題がある。
【０００７】
本発明は上記問題点に鑑みなされたものであって、点検での検査結果を蓄積し、将来の修理時期を予測し報知することで、無駄の少ない、部品交換や修理依頼を事前に計画立てることを可能ならしめる技術を提供しようとするものである。
【課題を解決するための手段】
【０００８】
係る課題を解決するため、本発明の情報処理装置は以下の構成を備える。すなわち、
患者の生体情報を測定する医療機器の点検履歴を管理する情報処理装置であって、
医療機器の点検実施日、並びに点検の際に用いた既知の生体情報値を持つサンプルに対して当該医療機器で実測して得た実測値とで構成される点検履歴情報を記憶する記憶手段と、
前記記憶手段を参照して、過去の各点検の実施日と前記既知の生体値に対するそれぞれの実測値との差分値で表わされる「実施日，差分値」のペアを、時間軸、差分値軸とする座標空間における点と見なし、当該点の集合に対して近似する線分を表わす近似関数を導出する導出手段と、
予め設定された許容差分値が定義された前記座標空間に対し、前記導出手段で導出した近似関数が示す線分をプロットした画像をグラフとして表示すると共に、前記近似関数が示す線分と前記許容差分値とが交差する点における前記時間軸上の位置を予測修理時期として表示する表示手段とを有する。
【発明の効果】
【０００９】
本発明によれば、点検での検査結果を蓄積し、将来の修理時期を予測し報知することができる。従って、無駄の少ない、部品交換や修理依頼を事前に計画立てることが可能になる。
【図面の簡単な説明】
【００１０】
【図１】実施形態における血糖測定装置の外観構成図である。
【図２】実施形態における血糖測定装置のブロック構成図である。
【図３】実施形態における情報処理システムの構成図である。
【図４】実施形態における情報処理装置のブロック構成図である。
【図５】実施形態におけるＱＣ管理ＤＢのデータ構造を示す図である。
【図６】実施形態における予測修理日の時期の表示例を示す図である。
【図７】実施形態におけるＱＣ点検アプリケーションプログラムの処理内容を示すフローチャートである。
【発明を実施するための形態】
【００１１】
以下、添付図面に従って本発明に係る実施形態について血糖計を例にして詳細に説明するが、本発明の好適な実施形態であるから、技術的に好ましい種々の限定が付されているが、本発明の範囲は、以下の説明において特に本発明を限定する旨の記載がない限り、これらの態様に限られるものではない。
【００１２】
＜血糖測定装置の外観構成＞
図１は、本発明の実施形態に係る携帯タイプの血糖測定装置１００の外観構成を示す図である。図１に示すように、血糖測定装置１００は、測定装置本体部１１０と、測定装置本体部１１０に装着される測定用チップ１２０とを備え、成人の掌に収まる程度のサイズである。
【００１３】
測定用チップ１２０は、血液検体を保持するものであり、細管部１２１が配されたホルダ１２２を備え、ホルダ１２２内部には試験紙（不図示）が固定されている。
【００１４】
細管部１２１は、毛細管現象により先端開口部から血液検体をホルダ１２２内部に導く。細管部１２１を介して導かれる血液検体は、ホルダ１２２内部の試験紙に吸収される。試験紙には、グルコースと反応して呈色反応を示す発色試薬が含浸されている。
【００１５】
測定装置本体部１１０は、測定用チップ１２０に保持された血液検体の血糖値を算出する。具体的には、波長の異なる２つの光を血液検体が吸収された試験紙に対して照射して反射光の強度を測定することで血糖値を算出する。
【００１６】
測定装置本体部１１０のハウジング１１１の先端には、波長の異なる２つの光を試験紙に照射して反射光の強度を測定する測定部１１２が配されている。また、ハウジング１１１の内部には、測定部１１２を制御するとともに測定部１１２で取得された測光値データに対して種々の演算を実行する制御部（不図示）が配されている。
【００１７】
更に、ハウジング１１１の表面には、血糖測定装置１００に電力を供給する電源に対してＯＮ／ＯＦＦの指示を入力するための電源スイッチ１１３と、制御部において算出された血糖値データや制御部において検知された内部状態を表示するための液晶等の表示部１１４と、制御部において算出され記憶された過去の血糖値データを呼び出し、表示部１１４に表示させるための履歴呼び出しボタン１１５と、音声出力された音声メッセージを再出力させるための再生ボタン１１６と、血糖測定のタイミングが食前／食後のいずれであるかを識別するために食後に測定する際に押す食後ボタン１１７と、が配されている。
【００１８】
＜血糖測定装置の内部構成＞
次に、血糖測定装置１００の測定装置本体部１１０の内部構成、特に、電気系統の構成について説明する。図２は、血糖測定装置１００の測定装置本体部１１０の機能構成を示す図である。
【００１９】
図２に示すように、測定装置本体部１１０の測定部１１２には、発光素子２３１と受光素子２３２とが配されている。発光素子２３１では、制御部２４０からの発光指示に基づいて発光を行い、受光素子２３２では、発光素子２３１の発光により試験紙に照射された光の反射光を受光することで、測光値データを生成する。
【００２０】
一方、測定装置本体部１１０のハウジング１１１内には、制御部２４０と、Ａ／Ｄ変換器２５０、表示制御部２６０、操作部２７０、通信部２８０、時刻を計時するタイマ２９０、ならびに、スピーカ２９５が配されている。
【００２１】
このうち、Ａ／Ｄ変換器２５０では、受光素子２３２において生成された測光値データを、Ａ／Ｄ変換し、制御部２４０に供給する。
【００２２】
制御部２４０は、装置全体の制御を司るＣＰＵ２４１と記憶部２４２で構成される。この記憶部２４２には、血糖測定装置１００としての機能を実現するため、ＣＰＵ２４１が実行する各種プログラム（Ａ／Ｄ変換器２５０を介して入力された測光値データに基づいて、血糖値データを算出するためのプログラムや、データ記録、外部装置との通信プログラムを含む）や各音声メッセージや警告音データが格納されている。
【００２３】
また、記憶部２４２には、上記のようなプログラムやデータの他にも、図示の如く、デバイス識別情報２４５、測定データ２４６を格納するエリアが予め確保されている。なお、記憶部２４２、特に、測定データ２４６を格納する領域は書込み可能な不揮発性メモリで構成されており、電源がＯＦＦになっても、そのデータは記憶保持され、揮発することはない。また、デバイス情報２４５は、書き換えできないようするため、マスクＲＯＭに格納されるようにしても構わない。
【００２４】
測定データ２４６は、測定日、測定時間帯ごとに区分されており、更に、血糖測定が食前に行われたか食後に行われたかを示す識別子が対応付けられている（つまり、測定タイミングに応じて区分されている）。
【００２５】
デバイス識別情報２４５は、血糖測定装置１００をユニークに特定するための情報であり、やはりメーカによって書き込まれるものである。
【００２６】
表示制御部２６０は、制御部２４０からの表示指示に基づき、所定の画面（算出された血糖値データや制御部２４０の内部状態を示す情報を表示する画面）を表示部１１４に表示するよう制御する。操作部２７０は、図１の電源スイッチ１１３、履歴呼び出しボタン１１５、再生ボタン１１６、食後ボタン１１７からの指示を受け付け、当該受け付けた指示を制御部２４０に送信する。
【００２７】
通信部２８０は、〜１０ｃｍ程度までの近距離の非接触通信手段（例えば、ＩＳＯ／ＩＥＣ  １４４４３の省電力ＩＣ通信技術，ＩＳＯ／ＩＥＣ  １８０９２の通信技術，ＦｅｌｉＣａ（ソニー（株）の登録商標））の通信技術等である。この通信部２８０を介して、病院等に設置され、医師等が取り扱う専用端末に接続されたＲＦＩＤリーダ／ライタとの間で通信を行うことになる。ＦｅｌｉＣａの通信技術では、１３．５６ＭＨｚの電波で通信し、１０ｃｍ程度までのごく近距離で非接触に１００〜４００ｋｂｐｓの通信が行なわれる。
【００２８】
以上、実施形態における血糖計の構成を説明した。実施形態における血糖測定装置は、病院等から患者に貸与するものとする。患者は、例えば１週間程度の間隔で、その血糖測定装置を病院に持参し、病院に設置された情報処理装置の読み取り部に血糖測定装置をかざし、非接触通信手段を介して前回から新規に測定した血糖値とデバイス識別情報をその情報処理装置に送信する。病院側の情報処理装置には、患者のカルテのデータベースが構築されており、個々の患者毎に、現在どの血糖測定装置が貸与されているかを特定するため、そのデバイス識別情報が格納されている。従って、患者が血糖測定装置を病院の情報処理装置にかざして、測定データを読み取らせたとき、デバイス識別情報から該当する患者のカルテ情報にその測定値が自動的に追加登録される。医師はその血糖値のデータベースを見て診察を行うことになる。
【００２９】
＜ＱＣ点検用の専用端末（情報処理装置）の説明＞
次に、実施形態における血糖測定装置のＱＣ点検用の情報処理装置ついて説明する。なお、ＱＣ点検は定期的に行うものであり、実施形態ではその間隔を１ヶ月として説明する。
【００３０】
ＱＣ点検作業そのものは、既知の血糖値（例えば１００ｍｇ/ｄＬ）を持つ試薬サンプルを、点検対象の血糖測定装置で実測し、その実測結果と、試薬サンプルの血糖値との差が予め設定された許容範囲±α（実施形態ではα＝２０ｍｇ/ｄＬとする）内の値を示せば、正常と判断し、使用の継続可として判定する。また、実測値が許容範囲外の値を測定した場合、部品交換等の修理手続を行う。
【００３１】
本実施形態では、上記のＱＣ点検を更に進めて将来の修理時期を予測し、それを報知するものである。この結果、異常な値を測定する時期が事前に判明するので、修理依頼や調整依頼を前倒しして行うことで、限られた台数の血糖測定装置を常に維持することを可能にする。
【００３２】
以下、係る目的を実現するためのＱＣ点検用の情報処理装置について説明する。なお、この情報処理装置は、先に説明した患者が持参する血糖測定装置から測定データを読み取る装置と兼用するものとしても構わない。
【００３３】
実施形態におけるＱＣ点検用の情報処理装置を図３、図４を参照して説明する。図３は、病院等の医療機関に設置され、ＱＣ点検に係る情報を管理する情報処理装置２００と、それに接続されたＲＦＩＤリーダ／ライタで構成される近接無線通信部２５０と、その近接無線通信部２５０に血糖測定装置１１００をかざして通信しているシステム構成を示している。
【００３４】
情報処理装置２００は、例えばパーソナルコンピュータ等で良く、その構成は図４に示す通りである。図示において、３０１は装置全体の制御を司るＣＰＵであり、３０２はＢＩＯＳやブートプログラムを格納しているＲＯＭ、３０３はＣＰＵ３０１のワークエリアとして使用したり、ＯＳ、各種アプリケーションプログラムをロードするＲＡＭである。３０４は、外部記憶装置として機能するハードディスク装置（以下、ＨＤＤ）であり、これにはＯＳ、後述する図７に係るアプリケーションプログラムを始め、図示の如く個々の血糖測定装置のＱＣ点検に係る情報を管理するデータベース「ＱＣ管理ＤＢ」３０４ａが予め格納されている。３０５はキーボード、３０６はマウス等のポインティングデバイス、３０７は液晶表示器等に代表される表示装置（表示手段）、３０８はネットワークインタフェース、３０９は血糖測定装置１００と通信する近接無線通信部（具体的にはＲＦＩＤリーダ／ライタ）である。ここで、ＱＣとは、Ｑｕａｌｉｔｙ  Ｃｏｎｔｒｏｌ  の略である。
【００３５】
ここで、ＱＣ点検履歴情報等を記憶する記憶手段を含むＱＣ管理ＤＢ３０４ａのデータ構造を図５を参照して説明する。同図に示すように、ＱＣ管理ＤＢ３０４ａは、個々の血糖測定装置毎に情報を管理している。１つの血糖測定装置については、その血糖測定装置を特定して識別するためのデバイス識別情報（図２の符号２４５に対応）を格納する領域５０１と、過去に実施したＱＣ点検履歴情報を格納する領域５０２、並びに、詳細は後述するが、将来の予測修理時期を格納する領域５０３で構成される。
【００３６】
ここで、ＱＣ点検履歴情報を格納する領域５０２は、過去のＱＣ点検日、その際に用いた試薬サンプルに表記された血糖値（既知の血糖値）、並びに、実測した血糖値の３つのデータを１レコードとするデータ構造を成しており、ＱＣ点検日順にソートされている。なお、領域５０２には、該当する血糖測定装置の製造年月日を最初のＱＣ点検日、その際に使用した試薬の血糖値を１００ｍｇ/ｄＬ、実測値を１００ｍｇ/ｄＬ（試薬と実測値が同じ値であれば他の値でも構わない）として登録してあるものとする。また、点検の際に用いた試薬サンプルが１種類のみの場合には、試薬サンプルの血糖値は固定値と見なして良いので、この情報は不要である。
【００３７】
次に、領域５０３に、予測修理時期を格納する際のＣＰＵ３０１の処理・判断の概要を以下に説明する。
【００３８】
或る血糖測定装置１００のＱＣ点検を行った場合、ユーザは情報処理装置２００を起動し、ＱＣ点検に係るアプリケーションを実行させる。この結果、幾つかのメニュー（不図示）が表示装置３０７に表示されるが、ＱＣ点検を行った場合には、ユーザがそのメニューにおける項目「ＱＣ点検データの登録」をキーボード３０５やポインティングデバイス３０６を用いて選択する。ＣＰＵ３０１はこの項目の選択を検出すると、近接無線通信部２５０上に、ＱＣ点検を行った血糖測定装置１００をかざすことを促すメッセージを表示装置３０７に表示し、通信が確立した後、血糖測定装置１００からデバイス識別情報２４５を取得する。そしてＣＰＵ３０１は、取得したデバイス識別情報をキーに、それに一致する血糖測定装置をＱＣ管理ＤＢ３０４ａの中から特定する。そして、ユーザに対して、今回のＱＣ点検日、使用した試薬サンプルの血糖値、及び、実測した血糖値の入力欄を含むウインドウを表示し、キーボード３０５やポインティングデバイス３０６を介して入力させる。この入力が行われると、ＣＰＵ３０１は、今回入力したＱＣ点検に係る情報を、領域５０２に追加登録すると共に、領域５０２に格納されたＱＣ点検履歴に係る情報を参照し、試薬が示す血糖値と実測値との差分（の絶対値）が許容値（実施形態では２０ｍｇ/ｄＬ）を超える時期を予測修理時期を演算する。そして、ＣＰＵ３０１は、領域５０３に格納された前回の予測修理時期を、今回演算で求めた予測修理時期で更新すると共に、更新後の予測修理時期になったことをユーザに理解できるようなグラフを表示装置３０７に表示する。
【００３９】
図６は、表示装置２０７に表示されるグラフの一例を示している。図示において、水平軸が時間（日付）を、垂直軸が試薬サンプルの血糖値と実測して得られた血糖値との差分絶対値を示している。実施形態では、修理すると判定する許容範囲を既知の試薬サンプルに対して±２０ｍｇ/ｄＬを超えた場合としているので、図示の如く、２０ｍｇ/ｄＬ（差分の絶対値としている点に注意された）が閾値として設定される。
【００４０】
そして、図示の実線で示される折れ線６０１が、今回を含む過去のＱＣ点検情報のプロットを表わしている。図示の場合、今回のＱＣ点検が２０１２年２月１５日に行われたことを示しているので、この日付までは実線で示される。そして、図示の破線６０２は、過去のＱＣ点検に係る情報により、例えば最小二乗法により導出した予測推移を示す一次関数で示される線分である。そして、一次関数が示す直線とこの閾値とが交差する点から、水平軸に垂線を描画し、その日を含む月を予測修理時期とする。なお、何日かまで示しても良いが、その日を境に必ず異常値を測定してしまうことを意味するものではないので、図示の如く、閾値と交差する点を包含する月を最小単位として表示した。
【００４１】
なお、最小二乗法自体は公知の算出法であり、詳細は説明しないが、ＱＣ点検に係る周期は１ヶ月としているものの、人間が行うものであり、且つ、正確に１ヶ月毎に行うとは限らないし、点検を怠る月はないとも言い切れない。つまり、ＱＣ点検を御行う間隔は図示のＬ１、Ｌ２に示すように長い期間もあれば短い期間も有り得る。そこで、最小二乗法に適用するにあたり、領域５０２内の各ＱＣ点検日については、最初のＱＣ点検日を原点とし、各々のＱＣ点検日までに至る日数を水平軸の座標値と見なして最小二乗法により図示の破線６０２の一次関数を導出した。
【００４２】
以上、実施形態における予測修理時期の算出とグラフ表示に係る処理を説明した。次に、これまで説明した実施形態の情報処理装置２００のＣＰＵ３０１によるＱＣ点検アプリケーションの処理手順を説明する。
【００４３】
図７は、実施形態におけるＱＣ点検アプリケーションプログラムによるＣＰＵ３０１の処理手順を示すフローチャートである。以下、同図のフローチャートに従い、ＣＰＵ３０１の処理手順を説明する。
【００４４】
ユーザの指示でこのアプリケーションを実行を開始すると、ＣＰＵ３０１は先ず、ステップＳ７０１にて、処理メニューを表示させ、その中の１つをユーザに選択させる。このメニューには、少なくとも、「ＱＣ点検データの登録」、「検索」が含まれるものとする。ＣＰＵ３０１は、ステップＳ７０２、Ｓ７０３にて、どの項目が選択されたのかを判定する。
【００４５】
メニュー項目「ＱＣ点検データの登録」が選択された場合、処理はステップＳ７０４に進み、ＱＣ点検を行った血糖測定装置を近接無線通信部２５０にかざすよう促すメッセージを表示装置３０７に表示し、近接無線通信部２５０による血糖測定装置１００との通信可能状態となるのを待つ。そして、通信可能になったときに、血糖測定装置１００に対してデバイス識別情報２４５を要求し、受信する。そして、ＣＰＵ３０１は、受信したデバイス識別情報に一致するデバイスに係る情報をＱＣ点検ＤＢ３０４ａから特定する。
【００４６】
次でステップＳ７０５に進み、ＣＰＵ３０１は、表示装置３０７にＱＣ点検日、ＱＣ点検で用いた試薬サンプルの血糖値、並びに、実測した血糖値を入力させためのウインドウを表示し、ユーザにそれらを入力させる。この入力が行われると、ＣＰＵ３０１は、入力した情報をＱＣ管理ＤＢ３０４ａにおいて特定された血糖測定装置用の領域５０２に追加する。
【００４７】
この後、ＣＰＵ３０１は、ステップＳ７０６に進んで、追加後の領域５０２に格納された過去のＱＣ点検に係る情報を参照し、「ＱＣ点検日（製造年月日からの日数）」をｘ座標値、「試薬サンプルの血糖値と実測値との差分の絶対値」をｙ座標値とする各座標点に近似する一次関数ｆ（ｘ）を最小二乗法に従って導出する。そして、求めた一次関数ｆ（ｘ）で示される直線と、閾値（実施形態では２０ｍｇ/ｄＬであるので、Ｙ＝２０の直線）との交差する点のｘ座標値を求め、その交差する点のｘ座標値が示す「年月」を予測修理時期として算出する。そして、ステップＳ７０７にて、ＱＣ管理ＤＢ３０４ａ内の、着目している血糖測定装置に関わる領域５０３を、算出した予測修理時期で更新する
この後、ステップＳ７０８に進み、ＣＰＵ３０１は、図６に示すように、実測した期間では実線で折れ線で示し、最新のＱＣ点検日以降から将来に向かう期間では上記のようにして導出した一関数ｆ（ｘ）で示される直線を破線で表わすグラフを表示装置３０７に表示する。
【００４８】
一方、ステップＳ７０１で表示されたメニューに対して、ユーザが「検索」を指定した場合、処理はステップＳ７０９に進み、ＱＣ管理ＤＢ３０４ａに対して様々な検索を行う処理に移行する。検索の１つとしては、例えば期間を指定し、その期間（例えば２０１２年９月から１０月等）に予測修理時期がある血糖測定装置を検索する、等がある。これを活用すると、例えば１０月を、予測修理時期とする血糖測定装置の数を把握でき、もしその数が多い場合には、修理や部品交換の手続を事前に行う等の作業に活用することもできる。
【００４９】
また、ステップＳ７０１で表示されたメニューに対して、上記以外の項目を選択した場合には、ステップＳ７１０に進み、該当する処理を行うことになるが、それは本願発明には直接には関係しないので、省略する。
【００５０】
以上説明したように本実施形態によれば、血糖測定装置等の定期的な点検を必要とする生体情報測定装置に対し、各点検での既知の値を持つサンプルに対して実測値を記憶保持し、許容されるずれの範囲を超える時期を予測し、その予測結果を表示することで、部品交換や修理等の有効な事前対策が可能になる。
【００５１】
なお、実施形態では、実測したグラフの折れ線を実線、予測した関数による直線を破線で示す例を示したが、線分を別々な色、同色の色の濃淡で表現しても良い。また、実施形態では、予測修理時期を「年月」の精度で示す例を説明したが、例えば月を上旬、下旬に分けて示してもよいし、中旬を含めて３段階で示すようにしても構わない。
【００５２】
また、実施形態では、ＱＣ点検で得られた情報を、ＱＣ管理ＤＢに登録する際に、図６に示すグラフを表示するものとして説明したが、例えば、図７のステップＳ７０９における検索処理で検索して得られた中からユーザが所望とするデバイスを指定した場合に、その選択したデバイスについて図６に示すグラフを表示しても構わない。また、図６では過去の点検履歴に係る点を結ぶ折れ線を表示するものとしたのは、近似関数で示される線分のみでも構わない。ただし、導出した予測修理時期についての理解を深めるのであれば、過去の実測値の推移も合わせて表示することが望ましい。
【００５３】
また、実施形態では、ＱＣ点検データを更新する際に、その対象となる血糖測定装置を特定するために、血糖測定装置内のデバイス識別情報を通信で取得するものとした。これはユーザの操作性を向上させるために望ましいものであるが、例えば血糖測定装置にデバイス識別情報を印刷したシールを張り付けておき、ユーザがそのデバイス識別情報をキーボードから入力しても構わない。
【００５４】
更に、実施形態で示した各種数値（例えばＱＣ点検の周期を１ケ月とする点、許容差分値（閾値）を２０ｍｇ/ｄＬとする点等）は、一例である。例えば、ＱＣ点検の周期を２ケ月程度にしても良いのは勿論である。
【００５５】
更に実施形態では、血糖測定装置１００と情報処理装置２００との通信として、ＩＳＯ／ＩＥＣ  １４４４３に規定される非接触通信を例示したが、これは一例にすぎず、有線通信でも構わない。
【００５６】
さらにまた、実施形態では、１つの情報処理装置に、ＱＣ管理ＤＢを保持する例を説明したが、ＱＣ管理ＤＢを保持する装置と、それにアクセスする装置とをネットワークを介して接続するようにしても構わない。すなわち、前者をサーバ、後者を複数の端末で構成する。比較的大きな医療機関の場合には、この形態が望まれるであろう。
【００５７】
また、実施形態における情報処理装置は、血糖測定装置と通信するハードを必要とするものの、その多くは、情報処理装置上で実行されるアプリケーションで実現できる。従って、本願発明は、コンピュータに実行させるためのプログラム、並びに、そのプログラムを格納したコンピュータ可読記憶媒体をその範疇とすることは明らかである。
【００５８】
以上、血糖測定装置を実施形態として説明したが、電子血圧計にも適用できる。電子血圧計の場合、図５において、試薬（ｍｇ／ｄＬ）に相当するのは圧力ｍｍＨｇである。マノメータ等の標準圧力発生器を接続し、所定の圧力（ｍｍＨｇ）、例えば１５０ｍｍＨｇ）を発生させ、そのときの実測値（ｍｍＨｇ）、例えば１４５ｍｍＨｇを得る。
【００５９】
図６において、表示装置２０７に表示されるグラフで、垂直軸がマノメータ等の標準圧力発生器から発生される圧力値（ｍｍＨｇ）と、実測して得られた圧力値（ｍｍＨｇ）との差分絶対値を示すことになり、例えば、±５ｍｍ/Ｈｇを超えた場合を閾値として、上記の血糖測定装置に置き換えて、予測修理時期の算出・表示を行なうようにできる。
【符号の説明】
【００６０】
１００：血糖測定装置、２００：情報処理装置、２５０：近接無線通信部、３０１：ＣＰＵ、３０２：ＲＯＭ、３０３：ＲＡＭ、３０４：ＨＤＤ、３０４ａ：カルテＤＢ、３０４ｂ：ＱＣ管理ＤＢ、３０５：キーボード、３０６：ポインティングデバイス、３０７：表示装置：３０８：ネットワークＩ／Ｆ
【図１】
2013196629.tif 000003
【図２】
2013196629.tif 000004
【図３】
2013196629.tif 000005
【図４】
2013196629.tif 000006
【図５】
2013196629.tif 000007
【図６】
2013196629.tif 000008
【図７】
2013196629.tif 000009